(57)【要約】      （修正有）【課題】バラ状態に収容された複数本の箸束から１膳分ずつ確実に且つ衛生的に取り出すことができる箸の繰出装置を提供する。【解決手段】箸を横倒し状態で収容し、底部に箸１本分が通過可能な間隙から成る箸落下出口が設けられたホッパー状の箸収容部と、箸落下出口の直下に設けられ、箸落下出口から落下する２本の箸を受容する箸受容溝が形成された少なくとも１つの星型歯車と、を有して成り、箸収容部の底部の少なくとも一部が、軸部材に揺動可能に軸支された板部材から成る箸整列板であり、星型歯車は、その回転軸が前記箸の長手方向と平行であり、歯車の突起間に前記箸を一膳分ずつ受容可能な箸受容溝が形成され、星型歯車の回転に伴い箸落下出口から落下する一膳分の箸を受容し、更なる回転に伴い一膳分の箸を繰出す構成であると共に、星型歯車は、歯車の突起が星型歯車の回転に伴い箸整列板の下面に当接して箸整列板を揺動させる構成である。【選択図】図１
0003156084.tif 000002
【実用新案登録請求の範囲】
【請求項１】
１本１本独立したバラ状態の複数本の箸を横倒し状態で収容可能であり、底部に箸長手方向に形成されると共に箸１本分が通過可能な間隔を有する間隙から成る箸落下出口が設けられたホッパー状の箸収容部と、
該箸収容部の箸落下出口の直下に近接乃至は当接状態で設けられ、前記箸落下出口から落下する２本の箸を受容する箸受容溝が形成された少なくとも１つの星型歯車と、
を有して成る箸の繰出装置であって、
前記箸収容部の底部の少なくとも一部が、箸の長手方向と平行に配設された軸部材に揺動可能に軸支された板部材から成る箸整列板であり、
前記星型歯車は、その回転軸が前記箸の長手方向と平行であり、歯車の突起間に前記箸を一膳分（２本）ずつ受容可能な箸受容溝が形成され、該星型歯車の回転に伴い前記箸落下出口から落下する一膳分の箸を受容し、該星型歯車の更なる回転に伴い前記一膳分の箸を繰出す構成であると共に、
前記星型歯車は、歯車の突起が該星型歯車の回転に伴い前記箸整列板の下面に当接して該箸整列板を揺動させる構成であること、
を特徴とする箸の繰出装置。
【請求項２】
前記箸受容溝が、歯車の突起間に箸１本分の幅で且つ箸２本分の深さで形成されている構成であることを特徴とする請求項１に記載の箸の繰出装置。
【請求項３】
前記箸受容溝が、歯車の突起間に箸２本分の幅で且つ箸１本分の深さで形成されている構成であることを特徴とする請求項１に記載の箸の繰出装置。
【請求項４】
前記箸受容溝が、歯車の突起間に箸１本分の幅で且つ箸１本分の深さの溝が２つ連設された状態で形成されている構成であることを特徴とする請求項１に記載の箸の繰出装置。
【請求項５】
前記箸受容溝１つに対して歯車の突起が２つ以上設けられており、１回の箸の繰出しに対して前記箸整列板の揺動を２回以上行う構成であることを特徴とする請求項１〜４のいずれかに記載の箸の繰出装置。
【請求項６】
前記箸整列板の箸落下出口側の端部に遊動ローラーが設けられた構成であることを特徴とする請求項１〜５のいずれかに記載の箸の繰出装置。
【請求項７】
前記箸収容部の底部の箸落下出口に臨む部分に遊動ローラーが設けられた構成であることを特徴とする請求項１〜６のいずれかに記載の箸の繰出装置。
【請求項８】
殺菌・滅菌・減菌手段が備えられた構成であることを特徴とする請求項１〜７のいずれかに記載の箸の繰出装置。
【請求項９】
前記星型歯車の回転操作を手動で行う操作ハンドルが備えられた構成であることを特徴とする請求項１〜８のいずれかに記載の箸の繰出装置。
【請求項１０】
前記星型歯車の回転操作を電動で行う駆動手段が備えられた構成であることを特徴とする請求項１〜８のいずれかに記載の箸の繰出装置。
【請求項１１】
前記電動による回転操作をオンにするセンサーが備えられた構成であることを特徴とする請求項１０に記載の箸の繰出装置。
【請求項１２】
前記センサーが、箸が繰出される部分に差し出される箸利用者の手指を検知する構成であることを特徴とする請求項１１に記載の箸の繰出装置。
【考案の詳細な説明】
【技術分野】
【０００１】
本考案は箸の繰出装置に関し、詳しくはバラ状態に収容された複数本の箸束から１膳分（２本）ずつ取り出すことができる箸の繰出装置に関する。
【背景技術】
【０００２】
蕎麦屋・ラーメン屋等の飲食店や社員食堂のように低廉なコストで飲食物を提供する飲食施設においては、箸は割り箸が用いられるのがこれまでは一般的であった。
【０００３】
日本国内において用いられている割り箸は大半が中国製であるが、環境保護（森林保護）等の観点から中国では生産制限や輸出停止の恐れが出始めている。
【０００４】
そこで割り箸の代替箸として、シンジオタクチックポリスチレン（ＳＰＳ）等のエンジニアリングプラスチック（エンプラ）製の箸が用いられ始めている。
【０００５】
エンプラ製の箸は、割り箸とは異なり、木材資源の大量消費という問題がないだけでなく、洗浄による繰り返し使用が可能であるという著しい利点を有している。
【０００６】
またエンプラ製の箸は、使用するまでは１膳ずつが結合状態にある割り箸とは異なり、１本１本がバラ状態で形成されている。飲食施設で用いる場合、１本１本がバラ状態の箸は複数本を筒型容器（箸立て）に立てた状態で投げ入れ収納したり、或いは、蓋付き横型容器（箸ケース）に横倒し状態に収納しておき、使用時に利用者は、この複数本のバラ状態の箸束の中から１膳分である２本を取り出して用いることになる。
【０００７】
このため、利用者が複数本の箸束の中から一膳分（２本）の箸を取り出す際に、取り出そうとする２本だけでなく収容されている他の箸に手指が触れてしまい不衛生であるという問題点を有している。
【０００８】
尚、一膳分ずつ個別包装された箸の場合には、例えば、特許文献１及び２に示されるように、搬送チェーンや搬送ベルトによって個別包装された箸を一膳ずつ供給する技術によって、収容されている他の箸に触れることなく一膳分の箸を取り出すことが可能な技術が既に知られている。
【先行技術文献】
【特許文献】
【０００９】
【特許文献１】特開平０５−０８９３３８号
【特許文献２】特開平０１−１２０６９８号
【考案の概要】
【考案が解決しようとする課題】
【００１０】
しかし、特許文献１及び２に示す技術では、予め一膳分ずつ個別包装された箸を一膳ずつ供給する構成であるため、１本１本バラ状態に収容された複数本の箸束の中から２本のみを確実に供給することは大きな設計変更を必要とするため困難である。
【００１１】
そこで本考案の課題は、バラ状態に収容された複数本の箸束から１膳分（２本）ずつ確実に且つ衛生的に取り出すことができる箸の繰出装置を提供することにある。
【課題を解決するための手段】
【００１２】
上記課題を解決する本考案は下記構成を有する。
【００１３】
１．１本１本独立したバラ状態の複数本の箸を横倒し状態で収容可能であり、底部に箸長手方向に形成されると共に箸１本分が通過可能な間隔を有する間隙から成る箸落下出口が設けられたホッパー状の箸収容部と、
該箸収容部の箸落下出口の直下に近接乃至は当接状態で設けられ、前記箸落下出口から落下する２本の箸を受容する箸受容溝が形成された少なくとも１つの星型歯車と、
を有して成る箸の繰出装置であって、
前記箸収容部の底部の少なくとも一部が、箸の長手方向と平行に配設された軸部材に揺動可能に軸支された板部材から成る箸整列板であり、
前記星型歯車は、その回転軸が前記箸の長手方向と平行であり、歯車の突起間に前記箸を一膳分（２本）ずつ受容可能な箸受容溝が形成され、該星型歯車の回転に伴い前記箸落下出口から落下する一膳分の箸を受容し、該星型歯車の更なる回転に伴い前記一膳分の箸を繰出す構成であると共に、
前記星型歯車は、歯車の突起が該星型歯車の回転に伴い前記箸整列板の下面に当接して該箸整列板を揺動させる構成であること、
を特徴とする箸の繰出装置。
【００１４】
２．前記箸受容溝が、歯車の突起間に箸１本分の幅で且つ箸２本分の深さで形成されている構成であることを特徴とする上記１に記載の箸の繰出装置。
【００１５】
３．前記箸受容溝が、歯車の突起間に箸２本分の幅で且つ箸１本分の深さで形成されている構成であることを特徴とする上記１に記載の箸の繰出装置。
【００１６】
４．前記箸受容溝が、歯車の突起間に箸１本分の幅で且つ箸１本分の深さの溝が２つ連設された状態で形成されている構成であることを特徴とする上記１に記載の箸の繰出装置。
【００１７】
５．前記箸受容溝１つに対して歯車の突起が２つ以上設けられており、１回の箸の繰出しに対して前記箸整列板の揺動を２回以上行う構成であることを特徴とする上記１〜４のいずれかに記載の箸の繰出装置。
【００１８】
６．前記箸整列板の箸落下出口側の端部に遊動ローラーが設けられた構成であることを特徴とする上記１〜５のいずれかに記載の箸の繰出装置。
【００１９】
７．前記箸収容部の底部の箸落下出口に臨む部分に遊動ローラーが設けられた構成であることを特徴とする上記１〜６のいずれかに記載の箸の繰出装置。
【００２０】
８．殺菌・滅菌・減菌手段が備えられた構成であることを特徴とする上記１〜７のいずれかに記載の箸の繰出装置。
【００２１】
９．前記星型歯車の回転操作を手動で行う操作ハンドルが備えられた構成であることを特徴とする上記１〜８のいずれかに記載の箸の繰出装置。
【００２２】
１０．前記星型歯車の回転操作を電動で行う駆動手段が備えられた構成であることを特徴とする上記１〜８のいずれかに記載の箸の繰出装置。
【００２３】
１１．前記電動による回転操作をオンにするセンサーが備えられた構成であることを特徴とする上記１０に記載の箸の繰出装置。
【００２４】
１２．前記センサーが、箸が繰出される部分に差し出される箸利用者の手指を検知する構成であることを特徴とする上記１１に記載の箸の繰出装置。
【考案の効果】
【００２５】
請求項１に示す考案によれば、バラ状態に収容された複数本の箸束から１膳分（２本）ずつ確実に且つ衛生的に取り出すことができる箸の繰出装置を提供することができる。
【００２６】
特に、箸収容部の底部の少なくとも一部である箸整列板を揺動させて箸収容部内の複数の箸を整列させながら繰出しを行う構成によって星型歯車の箸受容溝に２本の箸を確実に受容させることができるので、１膳分（２本）の箸を確実に取り出すことができる。
【００２７】
また、箸を取り出す部分以外を実質的に閉塞することができるので箸収容部内に収容された複数本の箸を衛生的に保つことができる。更に、箸の取出しに際しては、利用者が触れるのは繰出された１膳分（２本）の箸のみであり、収容部内の他の箸に触れることがないので極めて衛生的である。
【００２８】
請求項２、３、４に示す考案によれば、星型歯車に形成された箸受容溝に２本の箸を受容することができるので、該星型歯車の回転により箸受容溝内の受容した２本の箸を繰出すことができる。
【００２９】
請求項５に示す考案によれば、１膳分（２本）の箸を繰出す際に、箸収容部の底部の少なくとも一部である箸整列板を少なくとも２回以上揺動させる構成なので、箸収容部内の複数の箸の整列をより確実に行うことできる。従って星型歯車の箸受容溝に２本の箸をより確実に受容させることができるので、１膳分（２本）の箸をより確実に取り出すことができる。
【００３０】
請求項６に示す考案によれば、箸整列板の箸落下出口側の端部上に位置する箸を箸落下出口である箸収容部底部の間隙内に箸を確実に案内することができる。
【００３１】
請求項７に示す考案によれば、箸落下出口である箸収容部底部の間隙内に箸を確実に案内することができる。
【００３２】
請求項８に示す考案によれば、収容した箸の殺菌・滅菌・減菌を行うことで収容した箸を衛生的に保つことができる。
【００３３】
請求項９に示す考案によれば、操作ハンドルの操作によって１膳分（２本）の箸が繰出され、利用者が取り出すことができる。
【００３４】
請求項１０に示す考案によれば、電動駆動によって１膳分（２本）の箸が繰出され、利用者が取り出すことができる。
【００３５】
請求項１１に示す考案によれば、センサーの検知により１膳分（２本）の箸が繰出され、利用者が取り出すことができる。
【００３６】
請求項１２に示す考案によれば、利用者が差し出した手指をセンサーが検知することで１膳分（２本）の箸が繰出され、利用者が取り出すことができる。
【図面の簡単な説明】
【００３７】
【図１】本考案に係る箸の繰出装置の一実施例を示す概略横断面説明図
【図２】図１に示す箸の繰出装置の概略正面図
【図３】図１に示す箸の繰出装置の概略平面図
【図４】図３のＡ−Ｂ−Ｃ−Ｄ線部分における箸収容部の箸落下出口及び遊動ローラーの要部概略断面図
【図５】星型歯車と箸整列板の動作状態を説明する概略図
【図６】星型歯車の他の例を示す概略側面図
【図７】星型歯車の他の例を示す概略側面図
【図８】本考案に係る箸の繰出装置の他の実施例を示す概略正面図
【考案を実施するための形態】
【００３８】
次に、添付の図面に従って本考案を詳細に説明する。
【００３９】
本考案に係る箸の繰出装置（以下、単に繰出装置と言うこともある。）１の具体的構成としては、図１〜図５に示すように、１本１本独立したバラ状態の複数本の箸Ｈを横倒し状態で収容可能であり、底部に箸Ｈの長手方向に形成されると共に箸Ｈの１本分が通過可能な間隔を有する間隙から成る箸落下出口２１が設けられたホッパー状の箸収容部２と、
該箸収容部２の箸落下出口２１の直下に近接乃至は当接状態で設けられ、前記箸落下出口２１から落下する２本の箸Ｈを受容する箸受容溝３１が形成された少なくとも１つ（本実施例では２つ）の星型歯車３と、
を有して成る構成であり、
前記箸収容部２の底部の少なくとも一部が、箸Ｈの長手方向と平行に配設された軸部材２３に揺動可能に軸支された板部材から成る箸整列板２２であり、
前記星型歯車３は、その回転軸３２が前記箸Ｈの長手方向と平行であり、歯車の突起３３間に前記箸Ｈを一膳分（２本）ずつ受容可能な箸受容溝３１が形成され、該星型歯車３の回転に伴い前記箸落下出口２１から落下する一膳分の箸Ｈを受容し、該星型歯車３の更なる回転に伴い前記一膳分の箸Ｈを繰出す構成であると共に、
前記星型歯車３は、歯車の突起３３が該星型歯車３の回転に伴い前記箸整列板２２の下面に当接して該箸整列板２２を揺動させる構成である。
【００４０】
繰出装置１の本体の基本構成は透明・半透明・不透明等の合成樹脂製板材や金属製板材、或いは木製板等により形成されており、上記した各部の構成や詳細に説明する下記構成等が組み込まれている。
【００４１】
本考案の繰出装置１によって繰出される箸Ｈは、１膳分（２本）ずつ個別包装されたもの（箸袋入りの箸）や一部結合状態となった組状態のもの（割り箸）ではなく、１本１本が独立した箸Ｈであり、竹・木・金属・合成樹脂等から形成され、好ましくはシンジオタクチックポリスチレン（ＳＰＳ）等のエンジニアリングプラスチック（エンプラ）から形成されたものである。また、該箸Ｈの形状としては、一端又は両端が先細り状になっていることが好ましく、断面が円形になっていることがより好ましいが、断面が五角形や四角形であってもよい。
【００４２】
箸収容部２は、前述したようにホッパー状を成しており、本実施例では底部の一方は前述したように揺動可能な箸整列板２２となっているが、他方は箸落下出口２１に向かって傾斜状態に固定された固定底板２４となっている。
【００４３】
箸収容部２の底部は図１に示すように、箸整列板２２と固定底板２４とを有してホッパー状を成しているため、該箸収容部２内に収容されたバラ状態の複数本の箸Ｈは該箸Ｈの繰出しに伴って箸落下出口２１である箸整列板２２と固定底板２４との間隙に向かって移動することになる。
【００４４】
また、図４に示すように、箸収容部２の底部の箸落下出口２１に臨む部分、即ち、箸整列板２２及び固定底板２４の箸落下出口２１側の夫々の端部には遊動ローラー２５・２６が設けられており、この遊動ローラー２５・２６により、箸整列板２２や固定底板２４の箸落下出口側の端部上に位置する箸Ｈを箸落下出口２１である箸収容部２底部の間隙内に確実に案内することができる。
【００４５】
箸落下出口２１から落下する箸Ｈは２本毎、該箸落下出口２１の直下に位置する星型歯車３の箸受容溝３１に受容される。箸受容溝３１は、歯車の突起３３・３３間に箸１本分の幅で且つ箸２本分の深さで形成されているため、箸Ｈは一度に１つの箸受容溝３１に一膳分（２本）を受容することができる。箸Ｈを１膳分（２本）受容した状態で、星型歯車３が１２０°回転することで箸取出部４に、この１膳分（２本）の箸Ｈが繰出されることになる。この１２０°の回転により、次に位置する箸受容溝３１が箸落下出口２１の直下に位置することになり、次の２本の箸Ｈを受容することになる。星型歯車３の回転時に箸受容溝３１が形成されていない部分が箸落下出口２１の直下を通過する際には、該星型歯車３の外周面（歯車の突起３３の外周面を含む）が箸落下出口２１を閉塞する状態となるため、箸落下出口２１に案内されている箸Ｈは落下を阻止されて待機状態となる。本実施例では、星型歯車３に１２０°に１箇所ずつ計３箇所に箸受容溝３１が形成されているので、該星型歯車３が１回転すると３膳（２本×３＝６本）の箸Ｈが箸受容溝３１に受容されることになる。
【００４６】
星型歯車３の回転は、回転軸３２の端部に固定されている操作ハンドル５を手動操作することによって行う。
【００４７】
星型歯車３が回転する際、箸受容溝３１は歯車の突起３３・３３間に形成されていることから、図５に示すように、突起３３が箸整列板２２の下面に当接して該箸整列板２２を揺動させることになる。この箸整列板２２の揺動によって、箸収容部２内に収容されている複数本の箸Ｈも揺動されて整列されることになり、この箸Ｈの整列によって、箸Ｈを箸落下出口２１に確実に案内させることができる。図１〜図５に示す本実施例では、箸受容溝３１が１つに対して歯車の突起３３が２つ設けているので、図５に示すように、１回の箸Ｈの繰出し操作、即ち、星型歯車３を１２０°回転操作することで、箸整列板２２は２回揺動されることになる（図５の（Ｂ）では１回目の揺動、図５の（Ｄ）では２回目の揺動を示す。）。この２回の揺動によって、箸収容部２内の整列、並びに箸落下出口２１への案内を１回の揺動に比してより確実に行うことができる。尚、固定底板２４の下面には、星型歯車３の歯車の突起３３が当接しないように、該歯車の突起３３を避ける切欠が設けられている。
【００４８】
以上の構成を有する本考案の繰出装置１によれば、箸収容部２内に収容した複数本の箸Ｈの中から一膳分（２本）の箸Ｈのみを他の箸Ｈに触れることなく確実に且つ衛生的に取り出すことができる。
【００４９】
以上、本考案に係る箸の繰出装置の実施例について説明したが、本考案は上記実施例に限定されず、本考案の範囲内において種々の他の態様を採ることもできる。
【００５０】
例えば、ホッパー状を成す箸収容部２の底部は、上記した実施例では、揺動可能な箸整列板２２と固定された固定底板２４との２枚構成となっているが、本考案はこれに限定されず、箸落下出口２１を収容部２の底部端の一辺に沿って設けることで固定底板２４を省略した構成としてもよいし、或いは箸落下出口２１の両側に位置する底板の両方を固定状態にして、その固定状態の２枚の底板の一方又は両方の一部に揺動可能な箸整列板２２を配設した構成としてもよい。
【００５１】
一膳分（２本）の箸Ｈを受容する箸受容溝３１は、上記した実施例では、星型歯車３に１２０°に１箇所ずつ計３箇所に形成された構成となっているが、本考案はこれに限定されず、１箇所又は２箇所或いは４箇所以上形成された構成であってもよい。例えば、図６の（Ａ）は４箇所、図６の（Ｂ）は２箇所、図６の（Ｃ）は６箇所形成された構成である。
【００５２】
また、箸受容溝３１は、上記した実施例では、箸１本分の幅で且つ箸２本分の深さで形成された構成となっているが、本考案はこれに限定されず、１回の繰出しで一膳分（２本）が繰出可能な構成であればよく、例えば、図７の（Ａ）に示すように箸２本分の幅で且つ箸１本分の深さで形成された構成でもよいし、図７（Ｂ）に示すように歯車の突起３３・３３間に箸１本分の幅で且つ箸１本分の深さの溝が２つ連設された構成でもよい。
【００５３】
歯車の突起３３は、上記した実施例では、箸受容溝３１が１つに対して２つ設けられた構成、即ち、１回の繰出しに対して箸整列板２２を２回揺動させる構成となっているが、本考案はこれに限定されず、１回の繰出しに対して１回揺動させる構成でもよいし、３回以上揺動させる構成でもよい。例えば、図６の（Ａ）・（Ｃ）及び（Ｄ）は１回揺動させる構成、図６の（Ｂ）は３回揺動させる構成である。
【００５４】
また、歯車の突起３３の形状は、山形に限らず台形状等であってもよいし、回転方向前後で対称形状に限らず、図６の（Ｄ）に示すように変形突起形状とすることもできる。
【００５５】
星型歯車３の回転操作は、上記した実施例では、操作ハンドル５によって手動操作する構成となっているが、本考案はこれに限定されず、回転操作を電動で行う駆動手段を備えた構成とすることもできる。例えば、図８に示すように星型歯車３の回転軸３２の一端部にモータが組み込まれた電動駆動機構６を配設することで回転操作を電動で行うようにすることができる。尚、図８において、符号７は電源コードである。
【００５６】
図８に示すように、星型歯車３の回転操作を電動による駆動手段によって行う構成の場合、回転操作のオン・オフは利用者によるスイッチのオン・オフ操作によって行ってもよいが、回転操作をオンにするセンサー８を備えた構成とすることもできる。センサー８は、箸Ｈが繰出される箸取出部４に差し出される利用者の手指を検知する部分に配設することが好ましい。
【００５７】
箸収容部２内に収容する箸Ｈは、予め、洗浄が行われることで殺菌・滅菌・減菌されたものが収容されることは勿論であるが、箸収容部２内に収容されている状態でも衛生的環境を維持するために、上記実施例では箸収容部２の上方を開放状態として説明しているが、該箸収容部２は蓋体等によって閉塞構成とされていることが好ましく、更に、図８に示すように箸収容部２内に紫外線照射手段やオゾン発生器等の殺菌・滅菌・減菌手段９を備えることが好ましい。
【００５８】
また、繰出装置１は、箸Ｈを収容する箸収容部２の部分と、星型歯車３が組み込まれた繰出機構の部分とを別体構成とすることで上下に分離可能な構成としてもよい。この場合、箸収容部２をカセット式とすることで、該箸収容部２内の箸Ｈが全て繰出されて無くなった時点で箸収容部２のみを箸Ｈが多数収容されている新たな別なる箸収容部２と交換することができる。箸収容部２を交換可能なカセット式構成とすることにより、箸収容部２内への箸Ｈの収容を客席等の不特定多数の利用客が居る環境下ではなく、衛生環境の整った調理室等で行うことが可能である。
【符号の説明】
【００５９】
１  箸の繰出装置
２  箸収容部
２１  箸落下出口
２２  箸整列板
２３  軸部材
２４  固定底板
２５  遊動ローラー
２６  遊動ローラー
３  星型歯車
３１  箸受容溝
３２  回転軸
３３  歯車の突起
４  箸取出部
５  操作ハンドル
６  電動駆動機構
７  電源コード
８  センサー
９  殺菌・滅菌・減菌手段
Ｈ  箸
【図１】
0003156084.tif 000003
【図２】
0003156084.tif 000004
【図３】
0003156084.tif 000005
【図４】
0003156084.tif 000006
【図５】
0003156084.tif 000007
【図６】
0003156084.tif 000008
【図７】
0003156084.tif 000009
【図８】
0003156084.tif 000010